(57)【要約】      （修正有）【課題】簡単な方法で低コストに、文章などの文字情報を表示させたときに行間や文字と文字との間などのスペースに他色で表示させることができ、しかも、白黒等の２色画像が表示された画面に、もう一色を用いて別の情報を、表示できるドットマトリックス型情報表示用パネルを提供する。【解決手段】ドットマトリックス型情報表示用パネルにおいて、隣接配置した２個の表示手段をもって１表示単位（１ドット）とし、（１）１個の表示手段には、互いに色および帯電極性が異なる２種類の粒子群を用い、（２）表示手段のそれぞれに用いた２種類の粒子群のうちどちらか一方の帯電極性の粒子群は白色または白みが強い明るい色をもって２種類の表示手段に共通の同じ色とし、２種類の粒子群のうちもう一方の帯電極性の粒子群は黒色または濃くて鮮やかな色であって２種類の表示手段において互いに異なる色とした。【選択図】図６
2009288600.tif 000002
【特許請求の範囲】
【請求項１】
少なくとも一方が透明で対向する２枚の電極付き基板間に、帯電性粒子を含んだ粒子群として構成した表示媒体を封入し、対向電極対に電圧を印加して表示媒体を駆動させて画像等の情報を表示する情報表示用パネルにおいて、隣接配置した２個の表示手段をもって１表示単位（１ドット）とし、
（１）１個の表示手段には、互いに色および帯電極性が異なる２種類の粒子群を用い、
（２）隣接配置して１表示単位を構成する２個の表示手段のそれぞれに用いた２種類の粒子群のうちどちらか一方の帯電極性の粒子群は白色または白みが強い明るい色をもって２種類の表示手段に共通の同じ色とし、隣接配置して１表示単位を構成する２個の表示手段のそれぞれに用いた２種類の粒子群のうちもう一方の帯電極性の粒子群は黒色または濃くて鮮やかな色であって２種類の表示手段において互いに異なる色とし、
１表示手段を構成する隣接配置した２種類の表示手段において同種の表示手段が一列に並ぶようにマトリックス配置したことを特徴とするドットマトリックス型情報表示用パネル。
【請求項２】
１表示単位に配設する対向電極対を、互いに直交するライン状の走査電極およびライン状のデータ電極とから構成するとともに、１表示単位を構成する２種類の表示手段を、走査電極に垂直であってデータ電極に沿った方向に、隣接配置することを特徴とする請求項１に記載のドットマトリックス型情報表示用パネル。
【請求項３】
データ電極を、隣接する２表示単位に共通の共通電極として構成することを特徴とする請求項２に記載のドットマトリックス型情報表示用パネル。
【請求項４】
１表示単位を構成する２種類の表示手段として、一方の表示手段では、白色粒子群と黒色粒子群とからなる粒子群を用い、もう一方の表示手段では、白色粒子群と黒色以外の他色の粒子群を用いることを特徴とする請求項１〜３のいずれか１項に記載のドットマトリックス型情報表示用パネル。
【請求項５】
少なくとも一方が透明で対向する２枚の電極付き基板間に、帯電性粒子を含んだ粒子群として構成した表示媒体を封入し、対向電極対に電圧を印加して表示媒体を駆動させて画像等の情報を表示する情報表示用パネルにおいて、隣接配置した２個２種類の表示手段をもって１表示単位（１ドット）とし、
（１）２種類の表示手段共に、一方の帯電極性の粒子群は白色または白みが強い明るい色とし、もう一方の帯電極性の粒子群は黒色または濃くて鮮やかな色を有する２種類の粒子群を組み合わせた構成とし、
（２）２種類の表示手段のどちらか一方の表示面側に色を有する透明フィルターを設け、
隣接配置した２種類の表示手段において同種の表示手段が一列に並ぶようにマトリックス配置したことを特徴とするドットマトリックス型情報表示用パネル。
【請求項６】
２種類の粒子群として、白色粒子群と黒色粒子群とを用い、色を有する透明フィルターとして赤色透明フィルターを用いることを特徴とする請求項５に記載のドットマトリックス型情報表示用パネル。
【請求項７】
２種類の粒子群として、白色粒子群と赤色粒子群とを用い、色を有する透明フィルターとして青色透明フィルターを用いることを特徴とする請求項５に記載のドットマトリックス型情報表示用パネル。
【発明の詳細な説明】
【技術分野】
【０００１】
本発明は、少なくとも一方が透明で対向する２枚の電極付き基板間に、帯電性粒子を含んだ粒子群として構成した表示媒体を封入し、対向電極対に電圧を印加して表示媒体をドット単位で駆動させて画像等の情報を表示するドットマトリックス型情報表示用パネルに関するものである。
【背景技術】
【０００２】
従来、ＲとＷ、ＫとＷ（赤と白、黒と白）のような色組み合わせで帯電極性が異なる２色２種類の粒子群で構成した２種類の表示手段（赤白表示手段と黒白表示手段）を、表示領域ごとに配置して、各表示手段に対応する対向対電極で表示領域のエリアごとに表示色の異なる表示を行うエリアカラー表示方式のドットマトリックス型情報表示用パネルが知られている。上記情報表示用パネルでは、表示領域を複数の画面に分割し、分割された各画面ごとに異なる表示色で表示できるように構成されている。
【０００３】
また、ＲとＫ、ＧとＫ、ＢとＫ、ＷとＫ（赤と黒、緑と黒、青と黒、白と黒）あるいはＲとＷ、ＧとＷ、ＢとＷ、ＫとＷ（赤と白、緑と白、青と白、黒と白）のように４色の表示媒体（帯電性粒子を含んだ粒子群）と、それらとは帯電極性が異なる白色または黒色の表示媒体（導電性粒子を含んだ粒子群）とを組み合わせた４種類の表示手段をピクセル画素として配置し、各ピクセルに対応する対向する対電極でマルチカラー表示する情報表示用パネルも提案されている（例えば、特許文献１参照）。
【０００４】
【特許文献１】特開２００７−１７１６５０号公報
【発明の開示】
【発明が解決しようとする課題】
【０００５】
上述した従来の情報表示用パネルのうち、エリアカラー表示方式の情報表示用パネルでは、異なる色表示を行う領域があらかじめ決められているため、例えば、文章などの文字情報を表示させたときに行間や文字と文字との間などのスペースに他色で表示させることができなかった。この点で、マルチカラー表示型の情報表示用パネルを用いれば、例えば、文章などの文字情報を表示させたときに行間や文字と文字との間などのスペースに他色で表示させることも勿論できるが、エリアカラー表示方式の情報表示用パネルに比べて過大仕様が必要となり、コスト面で問題があった。また、白黒画像が表示された画面に、あともう一色を用いて追加情報を、表示領域に制限されずに表示させたい、といったニーズに応えられる情報表示用パネルはこれまでにはなかった。
【０００６】
本発明の目的は上述した問題点を解消して、簡単な方法で低コストに、文章などの文字情報を表示させたときに行間や文字と文字との間などのスペースに他色で別の情報を表示させることができ、しかも、白黒表示等の２色の表示画像が表示された画面に、あともう一色を用いて別の情報を、表示領域に制限されずに表示させることができるドットマトリックス型情報表示用パネルを提供しようとするものである。
【課題を解決するための手段】
【０００７】
本発明のドットマトリックス型情報表示用パネルは、少なくとも一方が透明で対向する２枚の電極付き基板間に、帯電性粒子を含んだ粒子群として構成した表示媒体を封入し、対向電極対に電圧を印加して表示媒体を駆動させて画像等の情報を表示する情報表示用パネルにおいて、隣接配置した２個２種類の表示手段をもって１表示単位（１ドット）とし、（１）１個の表示手段には、互いに色および帯電極性が異なる２種類の粒子群を用い、（２）隣接配置して１表示単位を構成する２個の表示手段のそれぞれに用いた２種類の粒子群のうちどちらか一方の帯電極性の粒子群は白色または白みが強い明るい色をもって２種類の表示手段に共通の同じ色とし、隣接配置して１表示単位を構成する２個の表示手段のそれぞれに用いた２種類の粒子群のうちもう一方の帯電極性の粒子群は黒色または濃くて鮮やかな色であって２種類の表示手段において互いに異なる色とし、１表示手段を構成する隣接配置した２種類の表示手段において同種の表示手段が一列に並ぶようにマトリックス配置したことを特徴とするものである。
【０００８】
本発明の情報表示用パネルの好適例としては、１表示単位に配設する対向電極対を、互いに直交するライン状の走査電極およびライン状のデータ電極とから構成するとともに、１表示単位を構成する２種類の表示手段を、走査電極に垂直であってデータ電極に沿った方向に、隣接配置すること、データ電極を、隣接する２表示単位に共通の共通電極として構成すること、１表示単位を構成する２種類の表示手段として、一方の表示手段では、白色粒子群と黒色粒子群とを用い、もう一方の表示手段では、白色粒子群と黒色以外の他色の粒子群とからなる粒子群を用いること、がある。
【０００９】
また、本発明のドットマトリックス型情報表示用パネルは、少なくとも一方が透明で対向する２枚の電極付き基板間に、帯電性粒子を含んだ粒子群として構成した表示媒体を封入し、対向電極対に電圧を印加して表示媒体を駆動させて画像等の情報を表示する情報表示用パネルにおいて、隣接配置した２個２種類の表示手段をもって１表示単位（１ドット）とし、（１）２種類の表示手段共に、一方の帯電極性の粒子群は白色または白みが強い明るい色とし、もう一方の帯電極性の粒子群は黒色または濃くて鮮やかな色を有する２種類の粒子群を組み合わせた構成とし、（２）２種類の表示手段のどちらか一方の表示面側に色を有する透明フィルターを設け、隣接配置した２種類の表示手段において同種の表示手段が一列に並ぶようにマトリックス配置したことを特徴とするものである。
【００１０】
本発明の情報表示用パネルの好適例としては、２種類の粒子群として、白色粒子群と黒色粒子群とを用い、色を有する透明フィルターとして赤色透明フィルターを用いること、２種類の粒子群として、白色粒子群と赤色粒子群とを用い、色を有する透明フィルターとして青色透明フィルターを用いること、がある。
【発明の効果】
【００１１】
本発明によれば、ドットマトリックス型情報表示用パネルにおいて、
隣接配置した２個２種類の表示手段をもって１表示単位（１ドット）とし、（１）１個の表示手段には、互いに色および帯電極性が異なる２種類の粒子群を用い、（２）隣接配置して１表示単位を構成する２個の表示手段のそれぞれに用いた２種類の粒子群のうちどちらか一方の帯電極性の粒子群は白色または白みが強い明るい色をもって２種類の表示手段に共通の同じ色とし、隣接配置して１表示単位を構成する２個の表示手段のそれぞれに用いた２種類の粒子群のうちもう一方の帯電極性の粒子群は黒色または濃くて鮮やかな色であって２種類の表示手段において互いに異なる色とし、１表示手段を構成する隣接配置した２種類の表示手段において同種の表示手段が一列に並ぶようにマトリックス配置したことで、簡単な方法で低コストに、文章などの文字情報を表示させたときに行間や文字と文字との間などのスペースに他色で別の情報を表示させることができ、しかも、白黒表示等の２色の表示画像が表示された画面に、あともう一色を用いて別の情報を、表示領域に制限されずに表示させることができる情報表示用パネルを得ることができる。
【発明を実施するための最良の形態】
【００１２】
ます、本発明の対象となる帯電粒子移動方式の情報表示用パネルの基本的な構成について説明する。前記情報表示用パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明の対象となる帯電粒子移動方式のドットマトリックス型情報表示用パネルの例を、図１（ａ）、（ｂ）〜図２（ａ）、（ｂ）に基づき説明する。ここでは、帯電性粒子を含んだ粒子群を表示媒体として対向電極間に形成させた電界で表示媒体を移動させて画像をドット表示する例を示している。
【００１４】
図１（ａ）、（ｂ）に示す例では、少なくとも光学的反射率と帯電性とを有する粒子を含む粒子群であって、互いに光学的反射率および帯電特性が異なる表示媒体を少なくとも２種類（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）基板間に封入し、隔壁４で形成された各セル７において、基板１に設けた電極５（画素電極）と基板２に設けた電極６（画素電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。
【００１５】
図２（ａ）、（ｂ）に示す例では、少なくとも光学的反射率と帯電性とを有する粒子を含む粒子群であって、互いに光学的反射率および帯電特性の異なる表示媒体を２種類（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）基板間に封入し、隔壁４で形成された各セル７において、基板１に設けた電極５（ライン電極）と基板２に設けた電極６（ライン電極）とが対向直交交差して形成する画素電極対の間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１６】
基板に設ける電極は基板の内側表面（表示媒体と接する側）に設けてもよいし、基板の外側表面（表示媒体と接しない側）に設けてもよいし、基板内部に埋め込むように設けてもよい。また、電極表面を電極材料とは別材料である膜で被覆することもできる。
【００１７】
本発明の特徴は、正帯電で第１の色の表示媒体（粒子群）と負帯電で第２の色の表示媒体（粒子群）との組み合わせで構成した表示手段および正帯電で第３の色の表示媒体（粒子群）と負帯電で第２の色の表示媒体（粒子群）との組み合わせで構成した表示手段のような２種類の表示手段を隣接配置するか、あるいは、正帯電で第１の色の表示媒体（粒子群）と負帯電で第２の色の表示媒体（粒子群）との組み合わせで構成した表示手段および正帯電で第１の色の表示媒体（粒子群）と負帯電で第３の色の表示媒体（粒子群）との組み合わせで構成した表示手段のような２種類の表示手段を隣接配置するかして、隣接配置した異なる構成の表示手段２個（２ピクセル）をもって１表示単位（１ドット）となるように、対向電極対に電圧を印加することによって表示手段を構成する表示媒体（粒子群）を駆動させて表示を行う方式の情報表示用パネルとした点にある。
【００１８】
具体的な一例として、正帯電の黒色表示媒体（黒色粒子群）と負帯電の白色表示媒体（白色粒子群）との組み合わせで構成した表示手段と、正帯電の赤色表示媒体（赤色粒子群）と負帯電の白色表示媒体（白色粒子群）との組み合わせで構成した表示手段とを隣接配置して、２個の表示手段をもって１表示単位（１ドット）としたり、正帯電の青色表示媒体（青色粒子群）と負帯電の白色表示媒体（白色粒子群）との組み合わせで構成した表示手段と、正帯電の赤色表示媒体（赤色粒子群）と負帯電の白色表示媒体（白色粒子群）との組み合わせで構成した表示手段とを隣接配置して、２個の表示手段をもって１表示単位（１ドット）としたりすることがある。
【００１９】
また、正帯電の黒色表示媒体（黒色粒子群）と負帯電の白色表示媒体（白色粒子群）と無色透明フィルターとの組み合わせで構成した表示手段と、正帯電の黒色表示媒体（黒色粒子群）と負帯電の白色表示媒体（白色粒子群）と赤色透明フィルターとの組み合わせで構成した表示手段とを隣接配置して、２個２種類の表示手段をもって１表示単位（１ドット）としたり、正帯電の赤色表示媒体（赤色粒子群）と負帯電の白色表示媒体（白色粒子群）と無色透明フィルターとの組み合わせで構成した表示手段と、正帯電の赤色表示媒体（赤色粒子群）と負帯電の白色表示媒体（白色粒子群）と青色透明フィルターとの組み合わせで構成した表示手段とを隣接配置して、２個２種類の表示手段をもって１表示単位（１ドット）としたりすることがある。
【００２０】
前記赤色透明フィルターを配置した表示手段を用いた例では、１ドットを構成する２ピクセル（２個２種類の表示手段）において表示面側に移動させた粒子群の色と透明フィルターの色とで、「白色粒子群／赤色透明フィルター：赤色」の１表示手段と「白色粒子群／無色透明フィルター：白色」の１表示手段とで１表示単位（１ドット）には赤色表示（厳密には白みがかかった赤色表示）が合成され、「黒色粒子群／赤色透明フィルター：黒色」の１表示手段と「黒色粒子群／無色透明フィルター：黒色」の１表示手段とで１表示単位（１ドット）には黒色表示が合成され、「黒色粒子群／赤色透明フィルター：黒色」の１表示手段と「白色粒子群／無色透明フィルター：白色」の１表示手段とで１表示単位（１ドット）には白色表示（厳密には灰色表示）が合成される。
【００２１】
１ドットを構成する２個２種類の表示手段において表示面側に移動させた粒子群の色と透明フィルターの色とで、「白色粒子群／赤色透明フィルター：赤色」の１表示手段と「白色粒子群／無色透明フィルター：白色」の１表示手段とで１表示単位（１ドット）には赤色表示（厳密には白みがかかった赤色表示）が合成され、「赤色粒子群／青色透明フィルター：黒色」の１表示手段と「赤色粒子群／無色透明フィルター：赤色」の１表示手段とで１表示単位（１ドット）には黒色表示が合成され、「赤色粒子群／青色透明フィルター：黒色」の１表示単位と「白色粒子群／無色透明フィルター：白色」の１表示単位とで１表示単位（１ドット）には白色表示（厳密には灰色表示）が合成される。
【００２２】
上記色組み合わせのほかにも粒子群、透明フィルターにおいて様々な色の組み合わせが可能であるが、表示される色合の点で、一方の表示媒体（粒子群）は白色とし、もう一方の表示媒体（粒子群）は黒色として、透明フィルターの色は無彩色以外の色とするのが良い。
【００２３】
本発明において対向電極対は各表示手段（各ピクセル）に対応して設ければよく、ピクセルごとの電極対とすることもできるが、ライン電極を対向直交交差させ形成することが好ましい。個別電極による電極対ドットをマトリックス配置した場合にはアクティブ駆動させる必要から、高価なＴＦＴ（薄膜トランジスタ）を用いた構成にしなければならないが、ライン電極直交交差による電極対ドットをマトリックス配置した場合には高価なＴＦＴを用いないパッシブ駆動ができるからである。本発明は表示媒体をパッシブドットマトリックス駆動できる構成である点も特徴となっている。パッシブ駆動の場合、電極対ドットの一方となるライン電極を走査電極とし、もう一方のライン電極をデータ電極として情報書換え時の電圧印加を行う。
【００２４】
本発明では、隣接配置して１表示単位（１ドット）とする２個２種類の表示手段は、走査側ライン電極にまたがって隣接させる。この１表示単位（１ドット）とする２個２種類の表示手段が配置されたデータ側ライン電極が同じ電位になっていても走査側ライン電極の電位を互いに異なるように電圧印加をすることで、それぞれの表示手段（ピクセル）の表示媒体（粒子群）を別々に駆動させることができる。
したがって、２個２種類の表示手段で構成される１表示単位に対して、走査側ライン電極は２本必要であるが、データ側ライン電極は１本でもよいので、ドット形状に合わせたライン電極幅とする観点およびライン電極幅が小さくなると断線が起こりやすくなるためこれを避ける観点から適宜選択する。
【００２５】
図３〜図５はそれぞれ本発明のドットマトリックス型情報表示用パネルにおける表示イメージを説明するための図である。図３に示す例では、白地の背景に黒色の文字１１Ｋにより「ＡＢＣＤ‥‥」が書かれた行間のスペースに、赤色の文字１１Ｒにより「ＡＢＣＤ‥‥」が書かれた情報表示例を示している。図４に示す例では、白地の背景に黒色の文字１１Ｋにより「ＡＢＣＤＥＦＧＨＩ」が書かれた同じ行に赤色の文字１１Ｒにより「ＫＬＭＮ‥‥」が続いて書かれた情報表示例を示している。図５に示す例では、白黒色の写真情報が表示された画面１２に、赤色の文字１１Ｒ、白色の文字１１Ｗ、黒色の文字１１Ｋの３色の文字情報「ＦＩＧＨＴ！」が書かれた情報表示例を示している。
【００２６】
次に、本発明の情報表示用パネルの構成の一例を、図６（ａ）、（ｂ）〜図１１（ａ）、（ｂ）を参照して説明する。図６（ａ）、（ｂ）〜図１１（ａ）、（ｂ）に示す例において、図１（ａ）、（ｂ）および図２（ａ）、（ｂ）に示す例と同一の部材には同一の符号を付し、その説明を省略する。また、図６（ａ）、（ｂ）〜図１１（ａ）、（ｂ）に示す例においては、説明を簡単にするために、４つの表示手段（４ピクセル）２１−１〜２１−４のみで２表示単位を示している。
【００２７】
＜実施例１＞
図６（ａ）、（ｂ）はそれぞれ本発明のドットマトリックス型情報表示用パネルの実施例１を説明するための図である。図６（ａ）、（ｂ）に示す例では、各表示手段２１−１〜２１−４に対応して対向電極対を配置するように、背面側の基板１上に設けた、ライン状で幅が１表示手段の幅に対応する背面側電極５を走査電極とし、表示面側の基板２上に設けた、ライン状で幅が１表示手段の幅に対応する、背面側電極５とほぼ直交して設けた表示面側電極６をデータ電極としている。
【００２８】
そして、白色負帯電性の粒子３Ｗａを含んだ粒子群として構成した白色表示媒体３Ｗと赤色正帯電性の粒子３Ｒａを含んだ粒子群として構成した赤色表示媒体３Ｒとを組み合わせた赤白表示手段２１−１と、白色負帯電性の粒子３Ｗａを含んだ粒子群として構成した白色表示媒体３Ｗと黒色正帯電性の粒子３Ｂａを含んだ粒子群として構成した黒色表示媒体３Ｂを組み合わせた黒白表示手段２１−２とを、走査電極５にまたがるようにデータ電極６に沿って隣接配置して、１表示単位（１ドット）２２を構成している。同様に、赤白表示手段２１−３と黒白表示手段２１−４とで１表示単位２２を構成している。
【００２９】
図６（ａ）、（ｂ）に示す例では、２つの表示単位で表示例を示しており、１表示単位２２を駆動するにあたり、１表示単位２２を構成する２つの表示手段２１−１、２１−２の各別に対応して設けられた２本の走査電極５のどちらか一方を選択し、選択した走査電極５のみを走査（スキャン）することで、走査電極５を１本スキップしてスキャンして表示を書き換えている。本例において、図６（ａ）に示す例は２ドットを黒表示した場合であり、図６（ｂ）に示す例は２ドットを赤表示した場合である。また、画像を何も表示していない画面（消去画面）は全ての表示手段において白色表示媒体（白色粒子群）を表示面側に移動させた状態に対応する白ベタ表示画面としたり、黒色表示媒体と赤色表示媒体とを表示面側に移動させた状態に対応する黒ベタ表示画面としたりする。
【００３０】
＜実施例２＞
図７（ａ）、（ｂ）はそれぞれ本発明のドットマトリックス型情報表示用パネルの実施例２を説明するための図である。図７（ａ）、（ｂ）に示す例では、隣接する表示手段２１−１〜２１−４には電極対の一方を共通電極として対向電極対を配置するように、背面側の基板１上に設けた、ライン状で幅が１表示手段の幅に対応する背面側電極５を走査電極とし、表示面側の基板２上に設けた、ライン状で幅が２表示手段の幅に対応する、背面側電極５とほぼ直交して設けた表示面側電極６を共通データ電極としている。
【００３１】
そして、白色負帯電性の粒子３Ｗａを含んだ粒子群として構成した白色表示媒体３Ｗと赤色正帯電性の粒子３Ｒａを含んだ粒子群として構成した赤色表示媒体３Ｒとを組み合わせた赤白表示手段２１−１と、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせた黒白表示手段２１−２とを、走査電極５にまたがるようにデータ電極６に沿って隣接配置して、１表示単位（１ドット）２２を構成している。同様に、赤白表示手段２１−３と黒白表示手段２１−４とで１表示単位２２を構成している。
【００３２】
図７（ａ）、（ｂ）に示す例では、２つの表示単位での表示例を示しており、１表示単位２２を駆動するにあたり、１表示単位２２を構成する２つの表示手段２１−１、２１−２の各別に対応して設けられた２本の走査電極５のどちらか一方を選択し、選択した走査電極５のみをスキャンすることで、走査電極５を１本スキップしてスキャンして表示を書き換えている。本例において、図７（ａ）に示す例は２ドットを黒表示した場合であり、図７（ｂ）に示す例は２ドットを赤表示した場合である。また、画像を何も表示していない画面（消去画面）は全ての表示手段において白色表示媒体（白色粒子群）を表示面側に移動させた状態に対応する白ベタ表示画面としたり、黒色表示媒体と赤色表示媒体とを表示面側に移動させた状態に対応する黒ベタ表示画面としたりする。
【００３３】
＜実施例３＞
図８（ａ）、（ｂ）はそれぞれ本発明のドットマトリックス型情報表示用パネルの実施例３を説明するための図である。図８（ａ）、（ｂ）に示す例では、各表示手段２１−１〜２１−４に対応して対向電極対を配置するように、表示面側の基板２上に設けた、ライン状で幅が１表示手段の幅に対応する表示面側電極６を走査電極とし、背面側の基板１上に設けた、ライン状で幅が１表示手段の幅に対応する、表示面側電極６とほぼ直交して設けた背面側電極５をデータ電極としている。
【００３４】
そして、白色負帯電性の粒子３Ｗａを含んだ粒子群として構成した白色表示媒体３Ｗと赤色正帯電性の粒子３Ｒａを含んだ粒子群として構成した赤色表示媒体３Ｒとを組み合わせた赤白表示手段２１−３と、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせた黒白表示手段２１−１とを、走査電極５にまたがるようにデータ電極６に沿って隣接配置して、１表示単位（１ドット）２２を構成している。同様に、赤白表示手段２１−４と黒白表示手段２１−２とで１表示単位２２を構成している。
【００３５】
図８（ａ）、（ｂ）に示す例では、２つの表示単位での表示側を示しており、１表示単位２２を駆動するにあたり、１表示単位２２を構成する２つの表示手段２１−１、２１−３の各別に対応して設けられた２本の走査電極５のどちらか一方を選択し、選択した走査電極５のみをスキャンすることで、走査電極５を１本スキップしてスキャンして表示を書き換えている。本例において、図８（ａ）に示す例は２ドットを黒表示した場合であり、図８（ｂ）に示す例は２ドットを赤表示した場合である。また、画像を何も表示していない画面（消去画面）は全ての表示手段において白色表示媒体（白色粒子群）を表示面側に移動させた状態に対応する白ベタ表示画面としたり、黒色表示媒体と赤色表示媒体とを表示面側に移動させた状態に対応する黒ベタ表示画面としたりする。
【００３６】
＜実施例４＞
図９（ａ）、（ｂ）はそれぞれ本発明のドットマトリックス型情報表示用パネルの実施例４を説明するための図である。図９（ａ）、（ｂ）に示す例では、隣接する表示手段２１−１〜２１−４には電極対の一方を共通電極として対向電極対を配置するように、表示面側の基板２上に設けた、ライン状で幅が１表示手段の幅に対応する表示面側電極６を走査電極とし、背面側の基板１上に設けた、ライン状で幅が２表示手段の幅に対応する、表示面側電極６とほぼ直交して設けた背面側電極５を共通データ電極としている。
【００３７】
そして、白色負帯電性の粒子３Ｗａを含んだ粒子群として構成した白色表示媒体３Ｗと赤色正帯電性の粒子３Ｒａを含んだ粒子群として構成した赤色表示媒体３Ｒとを組み合わせた赤白表示手段２１−３と、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせた黒白表示手段２１−１とを、走査電極５にまたがるようにデータ電極６に沿って隣接配置して、１表示単位（１ドット）２２を構成している。同様に、赤白表示手段２１−４と黒白表示手段２１−２とで１表示単位２２を構成している。
【００３８】
図９（ａ）、（ｂ）に示す例では、２つの表示単位での表示例を示しており、１表示単位２２の駆動をするにあたり、１表示単位２２を構成する２つの表示手段２１−１、２１−３の各別に対応して設けられた２本の走査電極５のどちらか一方を選択し、選択した走査電極５のみをスキャンすることで、走査電極５を１本スキップしてスキャンして表示を書き換えている。本例において、図９（ａ）に示す例は２ドットを黒表示した場合であり、図９（ｂ）に示す例は２ドットを赤表示した場合である。また、画像を何も表示していない画面（消去画面）は全ての表示手段において白色表示媒体（白色粒子群）を表示面側に移動させた状態に対応する白ベタ表示画面としたり、黒色表示媒体と赤色表示媒体とを表示面側に移動させた状態に対応する黒ベタ表示画面としたりする。
【００３９】
＜実施例５＞
図１０（ａ）、（ｂ）はそれぞれ本発明のドットマトリックス型情報表示用パネルの実施例５を説明するための図である。図１（ａ）、（ｂ）に示す例では、赤色透明フィルター付き表示手段２１−１〜２１−４に対応するとともに電極対の一方を共通電極として対向電極対を配置するように、表示面側の基板２上に設けた、ライン状で幅が１表示手段の幅に対応する表示面側電極６を走査電極とし、背面側の基板１上に設けた、ライン状で幅が２表示手段の幅に対応する、表示面側電極６とほぼ直交して設けた背面側電極５を共通データ電極としている。
【００４０】
そして、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせた表示手段であって表示面側の基板２内に赤色（Ｒ）透明フィルター２３Ｒを設けてなる表示手段２１−１と、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせた表示手段であって透明な表示面側基板６のみで構成した（無色透明（Ｔ色）フィルターを設けた場合に相当する）表示手段２１−３とを、走査電極５にまたがるようにデータ電極６に沿って隣接配置して、１表示単位（１ドット）２２を構成している。同様に、赤色フィルター２２Ｒを設けた表示手段２１−２とフィルターを何も設けなかった（言い換えれば無色透明フィルターを設けた）表示手段２１−４とで１表示単位２２を構成している。
【００４１】
図１０（ａ）、（ｂ）に示す例では、２つの表示単位での表示例を示しており、１表示単位２２を駆動するにあたり、１表示単位２２を構成する２つの表示手段２１−１、２１−３の各別に対応して設けられた２本の走査電極５のどちらか一方を選択し、選択した走査電極５のみをスキャンすることで、走査電極５を１本スキップしてスキャンして表示を書き換えている。本例において、図１０（ａ）に示す例は２ドットを黒表示した場合であり、図１０（ｂ）に示す例は２ドットを赤表示した場合である。また、画像を何も表示していない画面（消去画面）は全ての表示手段において黒色表示媒体（黒色粒子群）を表示面側に移動させた状態に対応する黒ベタ表示画面としたり、白色表示媒体を表示面側に移動させた状態に対応する赤ベタ表示画面としたりする。
【００４２】
＜実施例６＞
図１１（ａ）、（ｂ）はそれぞれ本発明のドットマトリックス型情報表示用パネルの実施例６を説明するための図である。図１１（ａ）、（ｂ）に示す例では、各表示手段２１−１〜２１−４に対応して対向電極対を配置するように、背面側の基板１上に各表示手段に対応して設けた背面側の個別電極５と、表示面側の基板２上に各表示手段に対応して設けた表示面側の個別電極６とから構成している。
【００４３】
そして、白色負帯電性の粒子３Ｗａを含んだ粒子群として構成した白色表示媒体３Ｗと赤色正帯電性の粒子３Ｒａを含んだ粒子群として構成した赤色表示媒体３Ｒとを組み合わせた赤白表示手段２１−１と、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせた黒白表示手段２１−２とを、隣接配置して、１表示単位（１ドット）２２を構成している。同様に、赤白表示手段２１−３と黒白表示手段２１−４とで１表示単位２２を構成している。
【００４４】
図１１（ａ）、（ｂ）に示す例では、２つの表示単位での表示例を示しており、各表示手段２１−１〜２１−４を各別の個別電極５、６により駆動することで、表示を書き換えている。本例において、図１１（ａ）に示す例は２ドットを黒表示した場合であり、図１１（ｂ）に示す例は２ドットを赤表示した場合である。また、画像を何も表示していない画面（消去画面）は全ての表示手段において白色表示媒体（白色粒子群）を表示面側に移動させた状態に対応する白ベタ表示画面としたり、黒色表示媒体と赤色表示媒体とを表示面側に移動させた状態に対応する黒ベタ表示画面としたりする。
【００４５】
次に、本発明のドットマトリックス型情報表示用パネルにおける表示手段と基板間の空間を隔壁で仕切って形成したセルとの関係を説明する。
【００４６】
図１２（ａ）〜（ｆ）はそれぞれ本発明の情報表示用パネルにおけるセルの配置例を説明するための図である。図１２（ａ）、（ｂ）の例では、それぞれが表示手段２１−１〜２１−４の幅と同じ幅を有する、表示面側のライン状の走査電極５と背面側のライン状のデータ電極６とから構成されており、図１２（ａ）の配置例１は表示手段１個／１セルの例を示し、図１２（ｂ）の配置例２は表示手段４個（２×２）／１セルの例を示している。図１２（ｃ）、（ｆ）の例では、表示手段２１−１〜２１−４の幅と同じ幅を有する表示面側のライン状の走査電極５と、表示手段２１−１〜２１−４の２個の幅と同じ幅を有する背面側のライン状の共通データ電極６とから構成されており、図１２（ｃ）の配置例３は表示手段１個／１セルの例を示し、図１２（ｆ）の配置例６は表示手段２個／１セルの例を示している。図１２（ｄ）、（ｅ）の例では、表示手段２１−１〜２１−４の幅と同じ幅を有する、背面側のライン状の走査電極６と表示面側のデータ電極５とから構成されており、図２（ｄ）の配置例４および図２（ｅ）の配置例とも、表示手段２個／１セルの例を示している。
【００４７】
図１２（ａ）〜（ｆ）に示す走査電極およびデータ電極ともにライン電極から形成されている例では、１表示単位を構成する２個２種類の表示手段を、走査電極にまたがるようにデータ電極の方向に隣接配置して、１表示単位を構成していることがわかる。また、１表示単位を構成する２個２種類の表示手段の間や隣り合う表示単位の間に、セルを形成する隔壁があっても良いし、無くても良いことがわかる。
【００４８】
以下、本発明の情報表示用パネルを構成する各部材の材料等について、さらに詳細に説明する。
【００４９】
基板１、２としては、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板や、ガラスシート、石英シート、金属シート等を用い、表示面側には、このうち透明なものを用いる。
【００５０】
対向して配置する電極の材料としては、透明基板側に設ける透明電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００５１】
背面側基板に設ける電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられる。背面側基板に設ける電極は透明であってもよいし、透明でなくても良い。
【００５２】
電極の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示面側電極厚みは、導電性が確保でき光透過性に支障がなければ良く、０．０１〜１０μｍが好ましく、０．０５〜５μｍがより好ましい。また、背面側電極厚みは、導電性が確保できれば良く、０．０１〜１０μｍが好ましく、０．０５〜５μｍがより好ましい。
【産業上の利用可能性】
【００５３】
本発明のドットマトリックス型情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書換えを行う表示部（リライタブルペーパー）としても好適に用いられる。
【００５４】
本発明のドットマトリックス型情報表示用パネルの駆動方式については、パネル自体にスイッチング素子を用いない単純マトリックス駆動方式やパッシブ駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式が適用できる。
【図面の簡単な説明】
【００５５】
【図１】（ａ）、（ｂ）はそれぞれ本発明の対象となる帯電粒子移動方式のドットマトリックス型情報表示用パネルの一例の構成を示す図である。
【図２】（ａ）、（ｂ）はそれぞれ本発明の対象となる帯電粒子移動方式のドットマトリックス型情報表示用パネルの他の例の構成を示す図である。
【図３】本発明のドットマトリックス型情報表示用パネルにおける表示イメージの一例を説明するための図である。
【図４】本発明のドットマトリックス型情報表示用パネルにおける表示イメージの他の例を説明するための図である。
【図５】本発明のドットマトリックス型情報表示用パネルにおける表示イメージのさらに他の例を説明するための図である。
【図６】（ａ）、（ｂ）はそれぞれ本発明のドットマトリックス型情報表示用パネルの実施例１を説明するための図である。
【図７】（ａ）、（ｂ）はそれぞれ本発明のドットマトリックス型情報表示用パネルの実施例２を説明するための図である。
【図８】（ａ）、（ｂ）はそれぞれ本発明のドットマトリックス型情報表示用パネルの実施例３を説明するための図である。
【図９】（ａ）、（ｂ）はそれぞれ本発明のドットマトリックス型情報表示用パネルの実施例４を説明するための図である。
【図１０】（ａ）、（ｂ）はそれぞれ本発明のドットマトリックス型情報表示用パネルの実施例５を説明するための図である。
【図１１】（ａ）、（ｂ）はそれぞれ本発明のドットマトリックス型情報表示用パネルの実施例６を説明するための図である。
【図１２】（ａ）〜（ｆ）はそれぞれ本発明のドットマトリックス型情報表示用パネルにおけるセルの配置例を説明するための図である。
【符号の説明】
【００５６】
１、２  基板
３Ｗ  白色表示媒体
３Ｗａ  負帯電性白色粒子
３Ｂ  黒色表示媒体
３Ｂａ  正帯電性黒色粒子
３Ｒ  赤色表示媒体
３Ｒａ  帯電性赤色粒子
４  隔壁
５、６  電極
７  セル
１１Ｋ  黒色の文字
１１Ｒ  赤色の文字
１１Ｗ  白色の文字
１２  画面
２１−１〜２１−４  表示手段
２２  表示単位（ドット）
２３Ｒ  赤色透明フィルター
【図１】
2009288600.tif 000003
【図２】
2009288600.tif 000004
【図３】
2009288600.tif 000005
【図４】
2009288600.tif 000006
【図５】
2009288600.tif 000007
【図６】
2009288600.tif 000008
【図７】
2009288600.tif 000009
【図８】
2009288600.tif 000010
【図９】
2009288600.tif 000011
【図１０】
2009288600.tif 000012
【図１１】
2009288600.tif 000013
【図１２】
2009288600.tif 000014